(57)【要約】【課題】  読取処理及び書込処理が確実に行える帳票処理機を提供する。【解決手段】  帳票処理機の本体の挿入口に挿入された帳票をその帳票処理機の本体に設けられたスタッカへ搬送させる途中、その帳票に記録されている内容を読取るとともに、必要に応じてその帳票に所定の内容を書込む帳票処理機に用いられる読取書込装置であって、前記読取書込装置の本体は、前記帳票を搬送させる搬送路を中間にした一方側に設けられたその帳票に記録されている内容を光学的に読取るためのスキャナと、その搬送路を中間にした他方側で、かつ、そのスキャナと対向する位置に設けられた押えローラとからなり、前記押えローラは、リンク機構を介して前記スキャナに対して進出及び後退自在に設けられるとともに、そのリンク機構には、必要に応じてその押えローラをそのスキャナに押圧するようにそのリンク機構を作動させる作動機構が設けられている。【選択図】      図３
2006151568.tif 000002
【特許請求の範囲】
【請求項１】
帳票処理機の本体の挿入口に挿入された帳票をその帳票処理機の本体に設けられたスタッカへ搬送させる途中、その帳票に記録されている内容を読取るとともに、必要に応じてその帳票に所定の内容を書込む帳票処理機に用いられる読取書込装置であって、
前記読取書込装置の本体は、前記帳票を搬送させる搬送路を中間にした一方側に設けられたその帳票に記録されている内容を光学的に読取るためのスキャナと、その搬送路を中間にした他方側で、かつ、そのスキャナと対向する位置に設けられた押えローラとからなり、
前記押えローラは、リンク機構を介して前記スキャナに対して進出及び後退自在に設けられるとともに、そのリンク機構には、必要に応じてその押えローラをそのスキャナに押圧するようにそのリンク機構を作動させる作動機構が設けられていることを特徴とする読取書込装置。
【請求項２】
請求項１に記載の読取書込装置において、リンク機構を作動させる作動機構は、カム機構からなることを特徴とする読取書込装置。
【請求項３】
帳票処理機の本体の挿入口に挿入された帳票をその帳票処理機の本体に設けられたスタッカへ搬送させる途中、その帳票に記録されている内容を読取るとともに、必要に応じてその帳票に所定の内容を書込む帳票処理機に用いられる読取書込装置であって、
前記読取書込装置の本体は、前記帳票を搬送させる搬送路を中間にした一方側に設けられたピンチローラと、その搬送路を中間にした他方側に設けられた磁気ヘッドとからなり、
前記磁気ヘッドは、常時前記ピンチローラ側から離れる方向に移動されているとともに、必要に応じてその磁気ヘッドをそのピンチローラ側に移動させる移動機構が設けられていることを特徴とする読取書込装置。
【請求項４】
請求項３に記載の読取書込装置は、磁気ヘッドをピンチローラ側に移動させる移動機構は、カム機構からなることを特徴とする読取書込装置。
【発明の詳細な説明】
【技術分野】
【０００１】
本発明は、振込用紙や集金カード等の単票からなる媒体を処理する帳票処理機に好適な読取書込装置に関する。
【背景技術】
【０００２】
従来、金融機関の係員窓口には、利用者が定期刊行物の継続購読を希望するときに用いられる定期刊行物に添付されている振込用紙、あるいは、利用者が所定の物品を通信販売などにより購入したときの物品の支払用の支払用紙を処理する帳票処理機と、金融機関の係員が商店等の顧客から集金した際に用いられる集金カードを処理する帳票処理機とがあり、これら従来の帳票処理機は、帳票処理機の本体の挿入口に振込用紙等の単票からなる帳票（媒体）を挿入すると、その帳票に記録されいている内容が磁気的又は光学的に読取られるとともに、必要に応じてその帳票に新たな内容が磁気的又は印字により記録されるように構成されている。
【０００３】
また、本出願人は、従来の帳票処理機は、振込用紙及び支払用紙の帳票を処理する帳票処理機と集金カードの帳票を処理する帳票処理機の２種類からなるので、設置面積を多く必要とするなどの不都合があり、これを解決するために、一台の帳票処理機で振込用紙、支払用紙及び集金カードのいずれの帳票をも処理できる帳票処理機を、別途、特願２００４−２３６２９８号で提案している。
【特許文献１】特になし
【発明の開示】
【発明が解決しようとする課題】
【０００４】
ところで、帳票処理機においても、光学読取処理ユニットや磁気データ処理ユニットを備えた各種処理機と同様に、読取ミス又は書込ミスが可能な限り発生しない帳票処理機が求められているとともに、処理速度の高い帳票処理機、すなわち、帳票の搬送速度を可能な限り速くして装置全体の処理速度を向上させて処理時間を短縮させることのできる帳票処理機が求められていた。また、帳票処理機で用いられる読取処理用及び書込処理用の磁気ヘッド等の部品が長期間に亘って使用できるように、すなわち、帳票処理機の磁気ヘッド等の消耗品の部品の長寿命化が望まれている。
【０００５】
そこで、本発明は、上記要望に応えるためになされたものであって、その目的は、読取ミス及び書込ミスの発生が少なく、しかも、処理時間を短縮させることができ、また、磁気ヘッド等の消耗品の長寿命化を図ることのできる読取書込装置を提供することにある。
【課題を解決するための手段】
【０００６】
本発明に係る読取書込装置は、上記目的を達成するために、請求項１に記載の発明は、帳票処理機の本体の挿入口に挿入された帳票をその帳票処理機の本体に設けられたスタッカへ搬送させる途中、その帳票に記録されている内容を読取るとともに、必要に応じてその帳票に所定の内容を書込む帳票処理機に用いられる読取書込装置であって、前記読取書込装置の本体は、前記帳票を搬送させる搬送路を中間にした一方側に設けられたその帳票に記録されている内容を光学的に読取るためのスキャナと、その搬送路を中間にした他方側で、かつ、そのスキャナと対向する位置に設けられた押えローラとからなり、前記押えローラは、リンク機構を介して前記スキャナに対して進出及び後退自在に設けられるとともに、そのリンク機構には、必要に応じてその押えローラをそのスキャナに押圧するようにそのリンク機構を作動させる作動機構が設けられていることを特徴としている。
本発明の請求項２に記載の読取書込装置は、リンク機構を作動させる作動機構は、カム機構からなることを特徴としている。
本発明に係る読取書込装置は、上記目的を達成するために、請求項３に記載の発明は、帳票処理機の本体の挿入口に挿入された帳票をその帳票処理機の本体に設けられたスタッカへ搬送させる途中、その帳票に記録されている内容を読取るとともに、必要に応じてその帳票に所定の内容を書込む帳票処理機に用いられる読取書込装置であって、前記読取書込装置の本体は、前記帳票を搬送させる搬送路を中間にした一方側に設けられたピンチローラと、その搬送路を中間にした他方側に設けられた磁気ヘッドとからなり、前記磁気ヘッドは、常時前記ピンチローラ側から離れる方向に移動されているとともに、必要に応じてその磁気ヘッドをそのピンチローラ側に移動させる移動機構が設けられていることを特徴としている。
本発明の請求項４に記載の読取書込装置は、磁気ヘッドをピンチローラ側に移動させる移動機構は、カム機構からなることを特徴としている。
【発明の効果】
【０００７】
本発明の請求項１に記載の読取書込装置は、読取書込装置の本体は、帳票を搬送させる搬送路を中間にした一方側に設けられたその帳票に記録されている内容を光学的に読取るためのスキャナと、その搬送路を中間にした他方側で、かつ、そのスキャナと対向する位置に設けられた押えローラとからなり、押えローラは、リンク機構を介して前記スキャナに対して進出及び後退自在に設けられるとともに、そのリンク機構には、必要に応じてその押えローラをそのスキャナに押圧するようにそのリンク機構を作動させる作動機構が設けられているので、帳票に記録されている内容を確実に読取ることができるとともに、帳票に記録されている内容を読取る必要がないときは、押えローラをスキャナから離すことができるので、帳票の搬送速度を上げて処理時間の短縮を図ることができるとともに、押えローラ及びスキャナの長寿命化を図ることができる。
本発明の請求項２に記載の読取書込装置において、リンク機構を作動させる作動機構は、カム機構からなるので、押えローラを簡単な構成で移動させることができる。
本発明の請求項３に記載の読取書込装置は、読取書込装置の本体は、帳票を搬送させる搬送路を中間にした一方側に設けられたピンチローラと、その搬送路を中間にした他方側に設けられた磁気ヘッドとからなり、磁気ヘッドは、常時前記ピンチローラ側から離れる方向に移動されているとともに、必要に応じてその磁気ヘッドをそのピンチローラ側に移動させる移動機構が設けられているので、帳票に記録されている内容を確実に読取ることができるとともに、必要に応じて新たな内容を確実に書込むことができる。さらに、帳票に記録されている内容を読取る必要がないとき、又は帳票に新たな内容を書込む必要がないときは、磁気ヘッドをピンチローラから離すことができるので、帳票の搬送速度を上げて処理時間の短縮を図ることができるとともに、磁気ヘッド及びピンチローラの長寿命化を図ることができる。
本発明の請求項４に記載の読取書込装置において、磁気ヘッドをピンチローラ側に移動させる移動機構は、カム機構からなるので、磁気ヘッドを簡単な構成で移動させることができる。
【発明を実施するための最良の形態】
【０００８】
以下、本発明を実施するための最良の形態を図面に基づいて説明する。図１は、一実施の形態に係る読取書込装置を組込んだ帳票処理機の斜視図であって、その帳票処理機の本体（以下、「処理機本体」という。）ａの正面１は、上部が奥行きとなる斜面（スラント）に形成されている。そして、その正面１の下部よりも少し上には、ヒンジ２，２を介して平面形状が長方形を呈したタッチパネルからなる表示入力部３が立設されている。この表示入力部３は、表示入力部３の前に位置する係員の姿勢等に合わせて回動されて調整される（図１の矢印参照）。なお、この処理機本体ａは、通常、金融機関の窓口カウンタの近くに設置される。
【０００９】
図１中、４は、挿入口であって、処理機本体ａの正面１の下部に設けられていて、この挿入口４には、上下動する載置台５が設けられている。この載置台５の平面形状は、偏平状で、しかも、図示しない振込用紙、支払用紙及び集金カード等のいずれの帳票であっても載置できる大きさに決められている。
【００１０】
図１中、６ａは、処理機本体ａの正面１の上部に設けられた正常に処理された帳票を収納するスタッカであり、６ｂは、そのスタッカ６ａの下方に設けられた正常に処理されなかった異常帳票を収納するスタッカである。図１中、７は、処理機本体ａの正面下部で挿入口４に隣接して設けられたスイッチ群である。これらスイッチ群７も上記タッチパネルからなる表示入力部３で構成することができるが、使用頻度の高いスイッチを押圧式のメカニカルスイッチとし、使い勝手の向上が図られている。また、Ｂは、処理機本体ａの下部に設けられた制御箱であり、ＣＰＵを中心に形成された制御器が内蔵されている。なお、この制御箱Ｂは、図示の例では、処理機本体ａの台を兼ねているが、処理機本体ａの隣りに縦に設置したり、あるいは、窓口カウンタの下や机の下等に設置することも可能である。
【００１１】
図２は、処理機本体ａ内の概略構成図であり、挿入口４の内側には、水平状に伸びた水平搬送路Ｌ1 が設けられているとともに、その水平搬送路Ｌ1 の後端側（挿入口４と反対側）からは、垂直状に伸びた垂直搬送路Ｌ2 が設けられている。これら搬送路Ｌ1 ，Ｌ2 は、モータＭによって駆動される駆動ローラｒ1 ，ｒ1 …のいずれか少なくとも１つが常時帳票に位置するように所定の間隔を保って配置されて構成されている。これら駆動ローラｒ1 ，ｒ1 …には、帳票を駆動ローラｒ1 ，ｒ1 …に押圧して搬送力を付与する押えローラｒ2 ，ｒ2 …がそれぞれ対設されている。
【００１２】
図２中、ｒ3 は図示しないモータにより回転駆動される送りローラであり、載置台５上の帳票を処理機本体ａ内に送り込むように構成され、また、ｒ4 は図示しないモータにより回転駆動される分離ローラであり、この分離ローラｒ4 に対設されるゲートローラｒ5 と協働して送りローラｒ3 により送られてくる帳票を１枚ずつに確実に分離して、帳票を１枚ずつ処理機本体ａ内に送り込めるように構成されている。
【００１３】
上記載置台５は、図示しないモータを駆動源とするエレベータ機構が設けられていて、図示の実線位置から二点鎖線位置へ上昇させることができるとともに、その二点鎖線位置から実線位置に下降させることができるように構成されている。載置台５が実線で示される位置に下降しているときは、載置台５上に複数枚の帳票を積層して載置することができるように構成されている。
【００１４】
図２中、８は、水平搬送路Ｌ1 中の挿入口４側に設けられた、本発明の読取書込装置の一部をなすスキャナ８ａ及び押えローラ８ｂを含んで構成される光学読取処理ユニットであり、周知の光学読取処理ユニットと同様に、帳票に記録されている内容を光学的に読取ることができるように構成されている。なお、この光学読取処理ユニット８については後に詳述する。図２中、９は、水平搬送路Ｌ1 の後端側に設けられた本発明の読取書込装置の一部をなす磁気ヘッド９ａ及びピンチローラ９ｂを含んで構成される磁気データ処理ユニットであり、周知の磁気データ処理ユニットと同様に、帳票に記録されている磁気データを読取ることができるとともに、必要に応じて新たな磁気データを帳票に書込むことができ、さらに、その書込んだ磁気データを読取ってチェックできるように構成されている。したがって、帳票は、水平搬送路Ｌ1 を介して磁気ヘッド９ａの部分を往復動できるように構成されている。なお、この磁気データ処理ユニット９については後に詳述する。
【００１５】
図２中、１０は、図示しないソレノイドで駆動されるフラッパであって、磁気ヘッド９ａよりも下流側（図２において、磁気ヘッド９ａの左側）の水平搬送路Ｌ1 に設けられている。このフラッパ１０が二点鎖線で示される状態に駆動されたときは、帳票を水平搬送路Ｌ1 から垂直搬送路Ｌ2 側に導くことができるように構成されている。そして、このフラッパ１０が実線位置に駆動されているときは、帳票を水平搬送路Ｌ1 内のみで搬送することができるように構成されている。すなわち、フラッパ１０が実線位置のとき、水平搬送路Ｌ1 により搬送される帳票がそのフラッパ１０よりも下流側に設けられている光電素子からなるセンサ１１で検知されるまで水平搬送され、次いで、水平搬送路Ｌ1 の搬送方向が転換され、帳票が挿入口４側に水平搬送される。したがって、帳票は、磁気ヘッド９ａに水平状態を保ったまま、つまり、帳票が安定した状態で当接できるように構成されている。帳票の磁気ヘッド９ａへの当接は、読取り、書込み及びチェック（ベリファイ）の毎に行われ、したがって、水平搬送路Ｌ1 は複数回の往復動が行われるように構成されている。
【００１６】
図２中、１２は印字処理ユニットであり、垂直搬送路Ｌ2 のほぼ中央部分に設けられていて、帳票に所定の内容を印字できるように構成されている。また、１３は、この印字処理ユニット１２よりも垂直搬送路Ｌ2 の下流側（図２において、印字処理ユニット１２よりも上側）に設けられた図示しないソレノイドで駆動されるフラッパであって、図示の実線位置に駆動されているときは、垂直搬送路Ｌ2 により搬送されてくる帳票をガイド板１４に案内させてスタッカ６ａに受入れることができるように構成されている。また、このフラッパ１３が図示の二点鎖線で示される位置に駆動されているときは、垂直搬送路Ｌ2 から分岐搬送路Ｌ2 ′を介して帳票をスタッカ６ｂに受入れることができるように構成されている。なお、上記各搬送路Ｌ1 ，Ｌ2 中には、上記センサ１１以外に、帳票の搬送位置や帳票に設けられている開孔等を検知するセンサが多数設けられているが、ここでは図面を簡略化するために省略されている。
【００１７】
図２中、Ｃは、処理機本体ａを統括的に制御する制御器である。この制御器Ｃは、ＣＰＵを中心に形成されていて、表示入力部３、光学読取処理ユニット８、磁気データ処理ユニット９、印字処理ユニット１２、モータＭを駆動制御するモータドライバ（図示せず）及びフラッパ１０，１３を駆動制御するソレノイドドライバ（図示せず）等を駆動制御できるように構成されている。なお、処理機本体ａが図示しない上位装置のリーダライタ（読取書込）ユニットとしての機能のみを果たす場合は、表示入力部３及びスイッチ群７は、その上位装置の制御器に接続される。この場合は、処理機本体ａの電源のＯＮ，ＯＦＦも上位装置側で行われる。
【００１８】
図３は、光学読取処理ユニット８を水平搬送路Ｌ1 の搬送方向と同方向から見たときの正面図、図４はその右側面図であり、水平搬送路Ｌ1 は、スキャナ８ａと押えローラ８ｂとの間に形成される。スキャナ８ａは、水平搬送路Ｌ1 を中間にした上側のフレームＦ1 に固定されていて、周知の光学読取装置と同様に、帳票に記録されている文字や記号等からなる内容を光学的に読取ることができるように構成されている。そして、このスキャナ８ａの水平搬送路Ｌ1 の搬送方向と直交する方向の大きさは、水平搬送路Ｌ1 で搬送される図示しない帳票をカバーできるように決められている。
【００１９】
押えローラ８ｂは、水平搬送路Ｌ1 を中間にした下側に設けられていて、フレームＦ2 に回転軸２０が載置されるように構成されているとともに、その大きさはスキャナ８ａに対応し、周囲は合成ゴム又は天然ゴム等からなる弾性体で構成されている。そして、この押えローラ８ｂがフレームＦ2 に載置されているときは、すなわち、図３及び図４に示される状態においては、水平搬送路Ｌ1 で搬送される帳票がスキャナ８ａに押圧されることなく移動できるように、スキャナ８ａ及び押えローラ８ｂ間に所定の平行した間隔が形成されるように決められている。
【００２０】
リンク機構２１は、押えローラ８ｂの下方に設けられていて、押えローラ８ｂを軸心方向から見たときにその押えローラ８ｂを中間に挾むようにした一対のたすき掛け状（Ｘ状）のリンク機構２２ａ，２２ｂから構成されている。これらリンク機構２２ａ，２２ｂは、同一構成なので、リンク機構２２ａを例に説明すると、リンク機構２２ａは、ピン２３の位置でＸ状に交差する一対のリンク棒２４ａ，２４ｂを有し、これら一対のリンク棒２４ａ，２４ｂの上端側は、押えローラ８ｂの回転軸２０を回転自在に軸支する軸受２５ａ，２５ｂ側にそれぞれ位置するとともに、これら軸受２５ａ，２５ｂを支持しているフレームＦ3 に連結されている。
【００２１】
すなわち、一方のリンク棒２４ａの上端側は、ピン２６ａを介してフレームＦ3 に押えローラ８ｂの回転軸２０と同方向（水平方向）に開孔されている長孔２７に移動自在に連結され、他方のリンク棒２４ｂの上端側は、ピン２６ｂを介してフレームＦ3 に回動自在に連結されている。また、これら一対のリンク棒２４ａ，２４ｂの下端側は、フレームＦ4 に連結されている。すなわち、一方のリンク棒２４ａの下端側は、ピン２８を介してフレームＦ4 に押えローラ８ｂの回転軸２０と同方向（水平方向）に開孔された長孔２９に移動自在に連結され、他方のリンク棒２４ｂの下端側は、ピン３０を介してフレームＦ4 に回転自在に連結されている。
【００２２】
作動機構３１は、モータ３２によって回転させられる回転軸３３に固定された偏心状のカム３４と、そのカムに当接し、上記ピン２８に設けられたローラ３５とからなるカム機構によって構成されている。したがって、モータ３２が回転して回転軸３３が回転されると、カム３４は、ローラ３５を長孔２９の長手方向に沿って移動させることができる。そして、ローラ３５が長孔２９の長手方向に沿って移動すると、図５に示されるように、その移動に伴って一対のリンク機構２４ａ，２４ｂの上端側に設けられているフレームＦ3 を介して押えローラ８ｂをスキャナ８ａ側に近付けたり、又は、図３及び図４に示されるように、押えローラ８ｂをスキャナ８ａ側から離すように移動させることができる。
【００２３】
図３〜図５中、３６ａ，３６ｂは、押えローラ８ｂの両側にそれぞれ設けられている軸受２５ａ，２５ｂとフレームＦ3 とを接続するための連結棒である。これら連結棒３６ａ，３６ｂは、軸受２５ａ，２５ｂに一端（上端）がそれぞれ固定され、下端は押えローラ８ｂの回転軸２０の軸心方向と直交する方向にそれぞれ伸び、フレームＦ3 に開孔されている貫通孔３７ａ，３７ｂに移動自在にそれぞれ挿入されているとともに、挿入された連結棒３６ａ，３６ｂが貫通孔３７ａ，３７ｂから外れないようにそれぞれ構成されている。そして、連結棒３６ａ，３６ｂには、押えローラ８ｂを常時フレームＦ3 側から離れるように付勢するコイルばねからなるばね３８ａ，３８ｂがそれぞれ設けられている。したがって、フレームＦ3 がカム３４を含む作動機構３１によりリンク機構２１を介して上方へ移動され、押えローラ８ｂがスキャナ８ａに当接したときは、ばね３８ａ，３８ｂにより押えローラ８ｂのスキャナ８ａに対する押圧力を安定した一定の値に保つことができるとともに、カム３４の回転角を調整することにより押圧力を微調整することができる。
【００２４】
なお、上述のリンク機構２１には、ピン２３とフレームＦ4 との間にピン２３を常時フレームＦ4 側に付勢するばねを設けてリンク機構２１の動作が円滑に、かつ、安定して動作するようにしてもよい。
【００２５】
図６（ａ）は、磁気データ処理ユニット９の正面図で、上記図２を反対側から見た図に相当している。したがって、図６（ａ）における水平搬送路Ｌ1 の搬送方向は、図２と逆の関係にある。また、図６（ｂ）は、同図（ａ）の左側面図である。
【００２６】
磁気ヘッド９ａは、フレームＦ1 ，Ｆ2 間に形成される水平搬送路Ｌ1 を中間にした下方側に設けられ、また、ピンチローラ９ｂは、磁気ヘッド９ａに対向した位置で、かつ、その水平搬送路Ｌ1 を中間にした上方側に位置している。この磁気ヘッド９ａは、周知の磁気ヘッドと同様に、磁気ヘッド９ａに図示しない帳票が接して移動したときは、その帳票に記録されている磁気データを読取ることができるように構成されているとともに、磁気ヘッド９ａに接して移動する帳票に対して所定内容の磁気データを書込むことができるように構成されている。そして、この磁気ヘッド９ａは、後述するように、ピンチローラ９ｂ側に向けて移動自在なヘッドハウジング５０に設けられている。ピンチローラ９ｂは、周囲が合成ゴム又は天然ゴム等から弾性体で構成されていて、図示しない帳票を磁気ヘッド９ａに押圧できるように構成されている。
【００２７】
磁気ヘッド９ａは、ヘッドハウジング５０の上端側に設けられ、かつ、そのヘッドハウジング５０において、ピンチローラ９ｂ側に向けた一定の範囲内で上下動できるように設けられている。そして、ヘッドハウジング５０に設けられたばね５１により、その一定の範囲内において常時上方に位置するように付勢されている。
【００２８】
ヘッドハウジング５０は、フレームＦ2 及びフレームＦ5 間に所定の間隔を保って設けられた一対の平行するガイド棒５２ａ，５２ｂに案内されて上下動できるように、すなわち、ピンチローラ９ｂ側に向けて上下動できるように構成されている。このため、ヘッドハウジング５０には、複数（図示の例では３個）の耳片５３ａ，５３ｂ，５３ｃが所定の間隔を保って設けられていて、これら耳片５３ａ，５３ｂに設けられている孔５４ａ，５４ｂがガイド棒５２ａに移動自在にそれぞれ挿入され、耳片５３ｃに設けられている孔５４ｃがガイド棒５２ｂに移動自在に挿入されている。
【００２９】
ヘッドハウジング５０の下部の一方側には、検出片５５が設けられていて、図示しないフレームに設けられている光電素子からなるセンサ５６によりヘッドハウジング５０の位置が検出できるように構成されている。また、このヘッドハウジング５０の下部で、磁気ヘッド９ａと対向した位置には、ローラ５７が設けられていて、本発明の移動機構を構成するカム５８に当接できるように構成されている。このカム５８は、図示しないモータによって回転される回転軸５９に固定された偏心カムから構成されている。したがって、このカム５８が一方向（図６（ｂ）において反時計方向）に回転したときは、図６（ａ），（ｂ）に示されるように、ヘッドハウジング５０は自重により下方へ移動して磁気ヘッド９ａとピンチローラ９ｂとの間に所定の間隔を保つことができる。磁気ヘッド９ａとピンチローラ９ｂとの間に所定の間隔が保たれているときは、水平搬送路Ｌ1 によって帳票が搬送されても磁気ヘッド９ａに接することがなく、また、帳票がピンチローラ９ｂに強く接することがないので、帳票を速く搬送して処理時間を短縮することができる。さらに、磁気ヘッド９ａ及びピンチローラ９ｂの摩耗を防止することができ、磁気ヘッド９ａ及びピンチローラ９ｂの長寿命化を図ることができる。
【００３０】
他方、カム５８が他方向に回転したときは、図７（ａ），（ｂ）に示されるように、ヘッドハウジング５０を上方へ持上げることができるように構成されている。そして、このヘッドハウジング５０がカム５８により持上げられたときは、磁気ヘッド９ａとピンチローラ９ｂとが当接し、しかも、磁気ヘッド９ａは、ばね５１によりピンチローラ９ｂに対して所定の押圧力が付与されるように構成されている。したがって、帳票が水平搬送路Ｌ1 で搬送されたときは、その帳票に記録されている磁気データを確実に読取ることができ、また、その帳票に対して所定の内容の磁気データを確実に書込むことができる。
【００３１】
なお、上述の例では、ヘッドハウジング５０は、自重で下方へ移動するようにしたが、フレームＦ2 と耳片５３ａとの間、及びフレームＦ2 と耳片５３ｃとの間に、あるいはいずれか一方の間にヘッドハウジング５０を常時下方へ付勢するばねを設けて、ヘッドハウジング５０の移動の安定性を確保するようにしてもよい。
【００３２】
以下、上記構成からなる光学読取処理ユニット８及び磁気データ処理ユニット９を備えた処理機本体ａの制御動作を説明する。今、金融機関の窓口に利用者が振込用紙（図示せず）を持って訪れたとする。係員は、その振込用紙を受取るとともに、その振込用紙に記入されている金額を収受し、さらに、その振込用紙に所定の必要事項が記載されているかを確認した後、処理機本体ａに帳票の種類が振込用紙である旨の情報が表示入力部３を介して入力される。この入力により処理機本体ａは振込用紙処理モードに設定される。なお、このモード設定は、表示入力部３からの入力でなくスイッチ群７のスイッチを選択して行うようにすることもできる。
【００３３】
処理機本体ａが振込用紙処理モードに設定されると、載置台５は、図２の実線位置に下降するとともに、フラッパ１０も二点鎖線位置とされる。また、光学処理ユニット８の押えローラ８ｂが上昇し、磁気ヘッド９ａは下降される。次いで、載置台５上に係員によって振込用紙が載置され、表示入力部３（又はスイッチ群７）からの処理開始の入力操作が行われると、載置台５が二点鎖線位置に上昇し、振込用紙は送りローラｒ3 を介して処理機本体ａ内に取込まれる。そして、その処理機本体ａ内に取込まれた振込用紙は、水平搬送路Ｌ1 で搬送される途中、光学読取処理ユニット８を介して振込用紙に印字されている内容が読取られる。
【００３４】
光学読取処理ユニット８で読取られた内容が制御器Ｃによる所定の演算処理の結果、正常に記載されていると判定されたとき、その振込用紙は、垂直搬送路Ｌ2 で搬送される途中、印字処理ユニット１２を介して所定の内容が印字される。この印字に当たっては、表示入力部３から入力された内容も必要に応じて印字される。印字処理された振込用紙は、実線位置のフラッパ１３及びガイド板１４に導かれて垂直搬送路Ｌ2 により正常帳票用のスタッカ６ａに受入れられて一連の処理が終了となる。
【００３５】
ところで、上述の光学読取処理ユニット８の読取処理において読取異常が発生したとき、例えば、光学読取処理ユニット８で読取られた内容が制御器Ｃによる所定の演算処理の結果、必要記載欄に記載漏れや判読不能文字等がある場合は、印字処理ユニット１２による印字処理が行われることなく、二点鎖線位置のフラッパ１３及び分岐搬送路Ｌ2 ′を介して振込用紙が異常帳票用のスタッカ６ｂに受入れられる。このスタッカ６ｂに受け入れられた帳票は、後に、処理機本体ａがマニュアルモードに設定されて１枚毎の逐次修正処理が行われる。この処理例は、載置台５上に振込用紙を載置した場合であるが、載置台５上に載置される帳票が支払用紙（図示せず）の場合も振込用紙と同様に処理される。したがって、支払用紙についてのこれ以上の説明は省略する。
【００３６】
次に、載置台５上に集金カード（図示せず）が載置されたときの制御動作について説明する。この集金カードの処理は、係員が外回りから帰ったとき、つまり、集金を終えて帰ったときに行われる。先ず、集金カードの処理に当っては、処理機本体ａが集金カード処理モードに設定される。処理機本体ａが集金カード処理モードに設定されると、載置台５は、図２の実線位置に下降し、載置台５上に複数枚の集金カードを積層して載置することが可能となるとともに、フラッパ１０が実線位置とされる。この場合、光学読取処理ユニット８の押えローラ８ｂは下降するとともに、磁気ヘッド９ａはピンチローラ９ｂ側に上昇される。
【００３７】
表示入力部３（又はスイッチ群７）からの処理開始の入力操作が行われると、載置台５が二点鎖線位置に上昇し、載置台５上に載置された集金カードのうち最上位の集金カードが送りローラｒ3 により処理機本体ａ内に送られ、分離ローラｒ4 により磁気ヘッド９ａ側に１枚のみの集金カードが送られるように処理される。そして、その集金カードが水平搬送路Ｌ1 を介して磁気ヘッド９ａを通過する際にその集金カードに記録されている磁気データが読取られる。磁気ヘッド９ａで読取られたデータを基にした制御器Ｃの所定の演算処理の結果、正常と判定されたときは、集金カードがセンサ１１の位置から挿入口４側に水平搬送路Ｌ1 を介して搬送される途中、新たなデータが磁気ヘッド９ａを介して書込まれる。
【００３８】
磁気ヘッド９ａを介して書込まれたデータが集金カードが挿入口４側からフラッパ１０側に再度水平搬送路Ｌ1 を介して搬送される途中、磁気ヘッド９ａによって読取られ、その読取られたデータは、制御器Ｃにより正常に書込まれているか否かが判定される。この判定の結果、正常に書込まれていると判定されたとき、集金カードはセンサ１１の位置から挿入口４側に水平搬送路Ｌ1 を介して搬送された後、フラッパ１０が二点鎖線位置とされる。
【００３９】
磁気データ処理ユニットにより正常に磁気処理の終了した集金カードは、二点鎖線位置のフラッパ１０を介して垂直搬送路Ｌ2 側に導かれ、その垂直搬送路Ｌ2 により搬送される途中、印字処理ユニット１２により必要に応じて集金カードに所定の内容の印字が行われる。そして、実線位置のフラッパ１３及びガイド板１４に導かれて垂直搬送路Ｌ2 により正常帳票用のスタッカ６ａに受入れられ、これにより載置台５の最上位の集金カードの一連の処理が終了となる。載置台５の最上位の集金カードの処理終了後、送りローラｒ3 によりその最上位の下の集金カードが処理機本体ａ内に送られて同様に処理される。このような処理が載置台５上に集金カードがなくなるまで継続される。
【００４０】
ところで、分離ローラｒ4 側から送込まれた集金カードに書込まれている磁気データの読取が不調のとき、集金カードは、新たな磁気データの書込みが行われることなく、二点鎖線位置のフラッパ１０、垂直搬送路Ｌ2 、二点鎖線位置のフラッパ１３及び分岐搬送路Ｌ2 ′を介して異常帳票用のスタッカ６ｂに受入れられる。また、磁気ヘッド９ａにより新たな磁気データが正常に書込まれなかったときも同様にスタッカ６ｂに受入れられる。なお、異常帳票スタッカ６ｂに集金カードが受れられたときは、異常状態が表示入力部３に表示されるので、その後の復旧、訂正作業を容易に行うことができる。
【００４１】
上述のように、載置台５に載置される帳票が集金カードのときは、載置台５上に集金カードを積層して載置するだけで全ての集金カードを自動的に処理することができる。なお、上述の例では、帳票として振込用紙、支払用紙及び集金カードの３種類の例を示したが、さらに他の種類の帳票であってもよい。
【図面の簡単な説明】
【００４２】
【図１】本発明の一実施の形態に係る読取書込装置を組込んだ処理機本体の斜視図である。
【図２】本発明の一実施の形態に係る読取書込装置を組込んだ処理機本体の内部構造の概略構成図である。
【図３】光学読取処理ユニットの正面図である。
【図４】図３の右側面図である。
【図５】光学読取処理ユニットの動作を説明するための正面図である。
【図６】（ａ）は磁気データ処理ユニットの正面図、（ｂ）は（ａ）の左側面図である。
【図７】（ａ）は磁気データ処理ユニットの動作を説明するための正面図、（ｂ）は（ａ）の左側面図である。
【符号の説明】
【００４３】
ａ  帳票処理機の本体（処理機本体）
１  正面
２  ヒンジ
３  表示入力部
４  挿入口
５  載置台
６ａ，６ｂ  スタッカ
７  スイッチ群
Ｃ  制御器
Ｍ  モータ
Ｌ1   水平搬送路
Ｌ2   垂直搬送路
ｒ1   駆動ローラ
ｒ2   押えローラ
ｒ3   送りローラ
ｒ4   分離ローラ
８  光学読取処理ユニット
９  磁気データ処理ユニット
１０，１３  フラッパ
１２  印字処理ユニット
【図１】
2006151568.tif 000003
【図２】
2006151568.tif 000004
【図３】
2006151568.tif 000005
【図４】
2006151568.tif 000006
【図５】
2006151568.tif 000007
【図６】
2006151568.tif 000008
【図７】
2006151568.tif 000009